(57)【要約】【課題】  湿気や自重等の影響により内容物が塊状に固まる場合があっても、塊状の内容物を容易に粉砕してスムーズに吐出できるようにした吐出容器を創出することを課題とする。【解決手段】  口筒部１１を備えると共に底部１４が内方及び外方に向かって変形可能な有底筒状の容器本体１０と、内容物Ｐを吐出する吐出口２４を有して口筒部１１に冠着されるキャップ２０とを備える吐出容器であって、容器本体１０内に、口筒部１１と底部１４との間に立設されると共に、底部１４の変形に連動して口筒部１１側において開閉動作するほぐし部３２を有して内容物Ｐを粉砕する詰まり解消部材３０が設けられた構成とする。【選択図】  図２
2020019491.tif 000002
【特許請求の範囲】
【請求項１】
口筒部（１１）を備えると共に底部（１４）が内方及び外方に向かって変形可能な有底筒状の容器本体（１０）と、内容物（Ｐ）を吐出する吐出口（２４）を有して前記口筒部（１１）に冠着されるキャップ（２０）とを備える吐出容器であって、
前記容器本体（１０）内に、前記口筒部（１１）と前記底部（１４）との間に立設されると共に、前記底部（１４）の変形に連動して前記口筒部（１１）側において開閉動作するほぐし部（３２）を有して前記内容物（Ｐ）を粉砕する詰まり解消部材（３０）が設けられていることを特徴とする吐出容器。
【請求項２】
ほぐし部（３２）は、ロット部（３１）の先端から放射状に延設された複数の帯体（３３）及び隣接する前記帯体（３３）の間に周方向に沿って交互に配置された複数のスリット（３４）を有して口筒部（１１）の内側に配置されている請求項１記載の吐出容器。
【請求項３】
キャップ（２０）は、口筒部（１１）に嵌着する側壁部（２２）及び該側壁部（２２）の上端に起立設された吐出口（２４）を有するキャップ本体（２１）と、前記吐出口（２４）を被嵌する蓋体（２５）と、前記側壁部（２２）と前記吐出口（２４）と間に勾配を有して縮径状に形成され、開閉動作時にほぐし部（３２）を収縮及び拡大させるテーパー部（２３）が設けられている請求項１又は２記載の吐出容器。
【請求項４】
底部（１４）は、外縁部側に断面視略Ｕ字形状に設けられた接地部（１５）と、中央に容器内部に向かって没設された陥没部（１６）と、前記接地部（１５）と前記陥没部（１６）との間に円環状に配設された弾性変形部（１７）とを有して構成され、前記陥没部（１６）の中央に詰まり解消部材（３０）のロット下端部（３５）を保持する逆陥没部（１８）が形成されている請求項１乃至３のいずれか一項に記載の吐出容器。
【請求項５】
弾性変形部（１７）が、同心円状に配置された複数の凹凸（１７ａ）により形成されている請求項４記載の吐出容器。
【発明の詳細な説明】
【技術分野】
【０００１】
本発明は、湿気や自重等の影響により粉体状又は顆粒状の内容物が塊状に固まる場合があっても、塊状の内容物を容易に粉砕して円滑に吐出できるようにした吐出容器に関する。
【背景技術】
【０００２】
特許文献１に記載の容器は、上端を開口した有底筒状の容器本体２と、この容器本体２の上端を閉塞する頂壁８に内容物を振り出すための複数の振り出し孔９及びこの振り出し孔９を開閉自在に閉塞する蓋板４を備えたキャップ本体３とを有して構成され、容器倒立状態で容器を振り出すことにより振り出し孔より内容物が振り出されるというものである。
この振り出し容器では、キャップ本体３の頂壁８下面に複数の突起５が一体に垂設されており、粉体状又は顆粒状の内容物が湿気や自重等の影響により塊状に固まる等の不都合が生じた場合もこの突起５で内容物を粉砕することにより、スムーズな振り出しを行えるようになっている。
【先行技術文献】
【特許文献】
【０００３】
【特許文献１】特開平８−９１４０５号公報
【発明の概要】
【発明が解決しようとする課題】
【０００４】
しかし、一つの吐出口から内容物を吐出させるタイプの吐出容器の場合にあっては、その構造上頂壁に突起を設けることができないため、例えば湿気等の影響により塊状に固まった塊状の内容物が吐出口に詰まり、スムーズな吐出が阻害されるという問題がある。
また内容物が粒度の細かい小麦粉などの粉体の場合においては、自重によって容器の底部近傍において部分的な塊状の固まりが生じやすいところ、振り出し自体を大きく振ったところでキャップ本体の頂壁側に設けた突起によって底部側の塊状の固まりを消滅させることは困難であり、結果として粉状の内容物のスムーズな振り出しが行われ難いという問題がある。
【０００５】
本発明は、上記した従来技術における問題点を解消すべく、粉体状又は顆粒状の内容物を一つの吐出口から吐出させる吐出容器において、湿気や自重等の影響により内容物に塊状の固まりが生じた場合があっても、塊状の固まりを容易に粉砕して内容物をスムーズに吐出できるようにした吐出容器を創出することを課題とする。
【課題を解決するための手段】
【０００６】
上記課題を解決するための手段のうち、本発明の主たる手段は、
口筒部を備えると共に底部が内方及び外方に向かって変形可能な有底筒状の容器本体と、内容物を吐出する吐出口を有して口筒部に冠着されるキャップとを備える吐出容器であって、
容器本体内に、口筒部と底部との間に立設されると共に、底部の変形に連動して口筒部側において開閉動作するほぐし部を有して内容物を粉砕する詰まり解消部材が設けられていることを特徴とする、と云うものである。
【０００７】
本発明の主たる手段では、容器本体の底部に対して押込み操作及び解除操作を行って底部を上下に変位させると、これに連動して容器本体内に設けられた詰まり解消部材が往復移動してほぐし部が開閉動作することから、ほぐし部内に入り込んだ塊状の内容物を粉砕することを達成し得る。
【０００８】
また本発明の他の手段は、上記手段に、ほぐし部は、ロット部の先端から放射状に延設された複数の帯体及び隣接する帯体の間に周方向に沿って交互に配置された複数のスリットを有して口筒部の内側に配置される、との手段を加えたものである。
【０００９】
上記手段では、スリットを通過させることにより内容物をほぐし部内に移動させると共にほぐし部内で粉砕することを達成し得る。
【００１０】
また本発明の他の手段は、上記いずれかの手段に、キャップは、口筒部に嵌着する側壁部及び側壁部の上端に起立設された吐出口を有するキャップ本体と、吐出口を被嵌する蓋体と、側壁部と吐出口と間に勾配を有して縮径状に形成され、開閉動作時にほぐし部を収縮及び拡大させるテーパー部が設けられている、との手段を加えたものである。
【００１１】
上記手段では、底部に対する押込み操作及びその解除操作に連動してほぐし部を収縮及び拡大させることが可能となることから、ほぐし部内に入り込んだ塊状の内容物を確実に粉砕することを達成し得る。
【００１２】
また本発明の他の手段は、上記いずれかの手段に、底部は、外縁部側に断面視略Ｕ字形状に設けられた接地部と、中央に容器内部に向かって没設された陥没部と、接地部と陥没部との間に円環状に配設された弾性変形部とを有して構成され、陥没部の中央に詰まり解消部材のロット下端部を保持する逆陥没部が形成されている、との手段を加えたものである。
【００１３】
上記手段では、底部を容易に上下方向に弾性変形させることにより、詰まり解消部材を容器軸に沿って往復移動させることが可能になると共に、往復移動中における詰まり解消部材のロット下端部と逆陥没部との外れを防止し得る。
【００１４】
また本発明の他の手段は、上記手段に、弾性変形部が、同心円状に配置された複数の凹凸により形成されている、との手段を加えたものである。
【００１５】
上記手段では、底部の弾性変形を容易とすることが可能となるため、スムーズな吐出操作を達成し得る。
【発明の効果】
【００１６】
本発明の吐出容器は、湿気や自重等の影響により内容物が容器本体内で塊状に固まる場合があっても、容器本体の底部に対する押込み操作及びその解除動作を繰り返すことにより、容器本体内に設けられた詰まり解消部材のほぐし部が塊状の内容物を粉砕することができるため、内容物をスムーズに吐出することができる。
【図面の簡単な説明】
【００１７】
【図１】本発明の実施例を示す吐出容器の断面図である。
【図２】使用状態を示す吐出容器の断面図である。
【発明を実施するための形態】
【００１８】
以下、本発明の実施の形態について図面を参照しつつ説明する。
図１は本発明の実施例を示す吐出容器の断面図、図２は使用状態を示す吐出容器の断面図である。
図１及び図２に示すように、本発明の吐出容器１は、粉体状又は顆粒状の内容物Ｐを収容する容器本体１０と、この容器本体１０の口筒部１１を被嵌して閉塞するキャップ２０及び容器本体１０内に設けられて内容物Ｐを粉砕する詰まり解消部材３０とを有して形成されている。
容器本体１０は、底部１４の上に連設された胴部１３と、この胴部１３の上に縮径状に連設された肩部１２を介して起立設された口筒部１１とを有し、例えばＰＥＴ樹脂などの合成樹脂材料をブロー成形することにより形成された容器であるが、容器本体１０の素材や成形方法はこれに限られるものではない。口筒部１１の外周面には雄ネジ部が刻設され、底部１４には容器本体１０の内方及び外方に向けて変形可能な弾性変形部１７が設けられている。
【００１９】
より詳しくは、底部１４は最外周側に胴部１３の下端から断面視略Ｕ字形状に連設されて成る接地部１５が形成され、底部１４の中央には容器本体１０の内方に向かって陥没設された陥没部１６が設けられている。そして、接地部１５の内周端と陥没部１６の外周端との間に、凹凸１７ａを同心円状に配することにより全体として円環状に形成されて成る弾性変形部１７が設けられている。また陥没部１６の中心部には容器本体１０の外方に向かって陥没する逆陥没部１８が形成されている。
【００２０】
弾性変形部１７は、接地部１５と連結される外周端を基端として中央部側が内方及び外向に向けて弾性変形できるように構成されており、これにより中央部側に設けられた陥没部１６が上下に変位することが可能となっている。尚、図１に示すように、変形前の初期状態において、底部１４は外方に膨出した下方の位置に設定されている。
【００２１】
キャップ２０は、キャップ本体２１の上に蓋体２５を備える合成樹脂製の部材である。キャップ本体２１は口筒部１１に冠着する側壁部２２と、この側壁部２２の上端に勾配を有して縮径状に連設されたテーパー部２３と、このテーパー部２３を介して起立設された吐出口２４とを有して形成されており、側壁部２２の内周面には口筒部１１側の雄ネジに螺着可能な雌ネジが刻設されている。また蓋体２５は頂壁２６の外周部に周壁２７が垂下設された有頂筒状の部材であり、頂壁２６の内面には吐出口２４を閉塞するシール筒部２８が垂下設されている。そして、蓋体２５は薄肉に形成された蝶番部２９を介してキャップ本体２１に開閉自在に設けられている。
【００２２】
詰まり解消部材３０は、棒状のロット部３１の上端側に、放射状に延設された複数の帯体３３と、隣接する帯体３３の間にスリット３４が夫々配設されて構成されるほぐし部３２を備える。すなわち、ほぐし部３２は複数の帯体３３が、間にスリット３４を有して周方向に列立された構成であり、スリット３４は塊状に固まった内容物Ｐが通過するのに十分な余裕を持つ幅寸法で形成されている。
【００２３】
図１に示すように、変形前の初期状態において、詰まり解消部材３０はロット部３１が容器本体１０内に挿入されている。詰まり解消部材３０のロット下端部３５を逆陥没部１８にて嵌合保持させると、上端側ではほぐし部３２が口筒部１１の内周面で押さえ付けられるため、ほぐし部３２は下端側が湾曲変形して丸く膨くらむ籠形状に設定される。尚、この初期状態では、ほぐし部３２は帯体３３の上端は、口筒部１１の上端よりも少し下がった位置となるように設定されている。またロット下端部３５が逆陥没部１８内にて嵌合保持されて外れ難い構成とすることにより、底部１４とロット下端部３５との連動が確保されている。
【００２４】
次に上記構成からなる吐出容器１の使用について説明する。
吐出容器１は、容器本体１０内に粉体状又は顆粒状の内容物Ｐを充填した後、詰まり解消部材３０を挿入してロット下端部３５を内容物Ｐ中に埋入させて逆陥没部１８にて嵌合保持させ、続いてキャップ２０を口筒部１１の周囲に螺合により冠着されている。尚、吐出口２４の上端にシート状のシール材（図示せず）を貼着すると、容器本体１０内を密封状態に設定することが可能となる点で好ましい。
【００２５】
吐出容器１を使用する場合には、キャップ２０の蓋体２５を回動させて開蓋し、図示しないシール材を剥がして吐出口２４を開放させる。そして、図２に示すように、使用者が吐出容器１の吐出口２４側を下方に向けた倒立傾斜姿勢に設定すると、内容物Ｐはスリット３４を通過してほぐし部３２内に移動するため、ほぐし部３２の先に設けられた吐出口２４を介して内容物Ｐを吐出させることが可能となる。
【００２６】
次に、湿気や自重等の影響により塊状に固まった状態にある内容物Ｐの吐出について説明する。
図２に実線で示すように、使用者が底部１４を内方に向けて押し込み、詰まり解消部材３０を口筒部１１側に移動させる（押込み操作）。すると、この押込み操作に連動してほぐし部３２の先端である複数の帯体３３の上端が、キャップ本体２１のテーパー部２３の内面に接触すると共に、勾配を備えたテーパー部２３の内面上を容器軸Ｏに近づく内径方向及び吐出口２４方向に向かって摺動する。これにより、ほぐし部３２を先端（複数の帯体３３の上端）の径寸法が収縮する方向に変形させることができる（閉じ動作による収縮変形）。
【００２７】
次に図２に破線で示すように、使用者による底部１４の押し込みを解除する（解除操作）。すると、この解除操作に連動してほぐし部３２の先端である複数の帯体３３の上端が、テーパー部２３の内面上を先程とは逆方向に、すなわち容器軸Ｏ方向から離れる外径方向及び底部１４に戻る方向に向かって摺動する。これにより、ほぐし部３２の先端（複数の帯体３３の上端）を拡大する方向に変形させて変形前の元の径寸法に戻すことができる（開き動作による拡大変形）と共に、詰まり解消部材３０が底部１４に戻る方向に移動するため、底部１４を外方に向かって膨出する元の初期状態に復元させることができる。
【００２８】
このように、使用者が底部１４に対する押込み操作と解除操作を繰り返し行うと、詰まり解消部材３０を構成するロット部３１が容器軸Ｏに沿って往復移動し、ほぐし部３２において収縮変形と拡大変形とが繰り返されることによる開閉動作が行われることから、ほぐし部３２内に入り込んだ塊状の内容物Ｐを細かく粉砕することができる。そして、粉砕された内容物Ｐは、上記同様にほぐし部３２の先に設けられた吐出口２４を介してスムーズに吐出させることが可能となる。
【００２９】
尚、内容物Ｐがさらに大きな塊状の固まりとなっている場合には、吐出容器１自体を大きく振ることにより、大きな塊状の内容物Ｐを容器本体１０の胴部１３、底部１４、ロット部３１又はほぐし部３２に衝突させて粉砕させることにより、スリット３４を通過させることができる。
【００３０】
以上、実施例に沿って本発明の構成とその作用効果について説明したが、本発明の実施の形態は上記実施例に限定されるものではない。
例えば、上記実施例では、底部１４の変形動作に連動して開閉動作するほぐし部３２を容器本体１０の口筒部１１側の位置に設けた構成を示して説明したが、例えばほぐし部３２を胴部１３の中間高さ位置、あるいは底部１４側の位置に設ける構成としても良い。
【産業上の利用可能性】
【００３１】
本発明の吐出容器は、塊状に固まりやすい内容物を収容する容器の分野における用途展開をさらに広い領域で図ることができる。
【符号の説明】
【００３２】
１    ：  吐出容器
１０  ：  容器本体
１１  ：  口筒部
１２  ：  肩部
１３  ：  胴部
１４  ：  底部
１５  ：  接地部
１６  ：  陥没部
１７  ：  弾性変形部
１７ａ：  凹凸
１８  ：  逆陥没部
２０  ：  キャップ
２１  ：  キャップ本体
２２  ：  側壁部
２３  ：  テーパー部
２４  ：  吐出口
２５  ：  蓋体
２６  ：  頂壁
２７  ：  周壁
２８  ：  シール筒部
２９  ：  蝶番部
３０  ：  詰まり解消部材
３１  ：  ロット部
３２  ：  ほぐし部
３３  ：  帯体
３４  ：スリット
３５  ：  ロット下端部
Ｏ    ：  容器軸
Ｐ    ：  内容物
【図１】
2020019491.tif 000003
【図２】
2020019491.tif 000004